(57)【要約】【課題】  中央監視装置を安価にした監視装置及び監視システムを提供する。【解決手段】ネットワークを介して又はネットワーク２００に接続したモデム１０２を介して通信するコネクタと、メモリと、ＣＰＵとを備え、１台又は複数台の監視装置子局３０１とネットワーク２００を介して接続し、監視装置子局３０１内の監視データを通信で取得し、ネットワーク２００を介して定期的に記憶装置１０８と接続し、監視データを保存する。接続した監視対象１１４からの信号を入力する信号入力部を備え、監視対象１１４から入力した信号を基に監視データを作成し、作成した監視データと監視装置子局３０１から通信で取得した監視データの両方を、ネットワーク２００を介して定期的に記憶装置１０８に保存する。【選択図】図１
2008011288.tif 000002
【特許請求の範囲】
【請求項１】
ネットワークを介して又はネットワークに接続したモデムを介して通信するコネクタと、メモリと、ＣＰＵとを備え、
１台又は複数台の監視装置子局とネットワークを介して接続し、前記監視装置子局内の監視データを通信で取得し、ネットワークを介して記憶装置と定期的に接続し、取得した監視データを前記記憶装置に保存することを特徴とする監視装置。
【請求項２】
請求項１記載の監視装置において、
監視対象からの信号を入力する信号入力部を備え、
前記監視対象から入力した信号を基に監視データを作成し、作成した監視データと前記監視装置子局から通信で取得した監視データの両方を、前記ネットワークを介して定期的に前記記憶装置に保存することを特徴とする監視装置。
【請求項３】
請求項１記載の監視装置において、
前記記憶装置と接続する際のネットワークは、前記監視装置子局と接続する際のネットワークであることを特徴とする監視装置。
【請求項４】
請求項１記載の監視装置において、
前記記憶装置と接続する際のネットワークは、前記監視装置子局と接続する際のネットワークとは異なることを特徴とする監視装置。
【請求項５】
ネットワークを介して又はネットワークに接続したモデムを介して通信するコネクタと、メモリと、ＣＰＵと、監視対象からの信号を入力する信号入力部とを備え、
前記監視対象から入力された信号を基に監視データを作成し、作成した監視データを、前記ネットワークを介して定期的に前記記憶装置に保存することを特徴とする監視装置。
【請求項６】
監視対象の監視データを取得する１台又は複数台の監視装置子局と、前記監視装置子局から監視データを通信で取得する監視装置親局とからなる監視システムにおいて、
前記監視装置子局及び監視装置親局は、それぞれ、ネットワークを介して又はネットワークに接続したモデムを介して通信するコネクタと、メモリと、ＣＰＵとを備えており、
前記監視装置親局は、前記監視装置子局とネットワークを介して接続し、前記監視子局内の監視データを通信で取得し、ネットワークを介して記憶装置と定期的に接続し、取得した監視データを前記記憶装置に保存することを特徴とする監視システム。
【発明の詳細な説明】
【技術分野】
【０００１】
本発明は、監視装置及び監視システムに関し、特に上下水道の給水、配水設備や、産業用の生産設備、販売データ収集、設備等を監視する技術に関する。
【背景技術】
【０００２】
従来の監視システムにおいて、通信回線に常時接続と多重通信が可能なネットワークを利用する場合、中央監視装置に、インターネット・サーバー機能を持たせて、ネットワーク上のパソコンから監視データを検索し表示したり、ネットワーク上のパソコンから遠隔制御の設定を入力していた。この場合、中央監視装置に、インターネット・サーバー機能を持たせるため、中央監視装置としての機能とともに、インターネット・サーバーとして必要とされる一通りの機能（インターネット・エクスプローラと通信する機能、ユーザＩＤとパスワードを使って、ユーザを認証する機能など）を動作させる必要があるため、その機能の実現に多大な作業が必要だった。また、中央監視装置の中に監視データを保存しておく必要があるため、中央監視装置の記憶容量は大きいことが必要だった。このため、中央監視装置の価格は高額になっていた。
【特許文献１】特開平１０−３２７２５９号公報
【発明の開示】
【発明が解決しようとする課題】
【０００３】
本発明では、通信回線に常時接続と多重通信が可能なネットワークを利用する場合に、中央監視装置に、インターネット・サーバー機能を持たせずにネットワーク上のパソコンから監視データを検索、表示させる方法を提供する。これにより、中央監視装置を動作させるために多大な作業工数を要することが不要とするとともに、中央監視装置が記憶容量が小さくとも機能する手段を提供することにある。これにより、中央監視装置を安価に提供する。
【課題を解決するための手段】
【０００４】
上記問題点を踏まえ、本発明においては、以下のように対応を図るものとする。すなわち、本発明は、ネットワークを介して又はネットワークに接続したモデムを介して通信するコネクタと、メモリと、ＣＰＵとを備え、１台又は複数台の監視装置子局とネットワークを介して接続し、前記監視装置子局内の監視データを通信で取得し、ネットワークを介して記憶装置と定期的に接続し、取得した監視データを前記記憶装置に保存する監視装置である。
【０００５】
また、本発明は、監視対象からの信号を入力する信号入力部を備え、前記監視対象から入力した信号を基に監視データを作成し、作成した監視データと前記監視装置子局から通信で取得した監視データの両方を、前記ネットワークを介して定期的に前記記憶装置に保存する監視装置である。
【０００６】
そして、本発明は、前記記憶装置と接続する際のネットワークは、前記監視装置子局と接続する際のネットワークである監視装置である。
【０００７】
更に、本発明は、前記記憶装置と接続する際のネットワークは、前記監視装置子局と接続する際のネットワークとは異なる監視装置である。
【０００８】
また、本発明は、ネットワークを介して又はネットワークに接続したモデムを介して通信するコネクタと、メモリと、ＣＰＵと、監視対象からの信号を入力する信号入力部とを備え、前記監視対象から入力された信号を基に監視データを作成し、作成した監視データを、前記ネットワークを介して定期的に前記記憶装置に保存する監視装置である。
【０００９】
そして、本発明は、監視対象の監視データを取得する１台又は複数台の監視装置子局と、前記監視装置子局から監視データを通信で取得する監視装置親局とからなる監視システムにおいて、前記監視装置子局及び監視装置親局は、それぞれ、ネットワークを介して又はネットワークに接続したモデムを介して通信するコネクタと、メモリと、ＣＰＵとを備えており、前記監視装置親局は、前記監視装置子局とネットワークを介して接続し、前記監視子局内の監視データを通信で取得し、ネットワークを介して記憶装置と定期的に接続し、取得した監視データを前記記憶装置に保存する監視システムである。
【発明の効果】
【００１０】
本発明によれば、中央監視装置を安価にした監視装置及び監視システムとすることができる。
【発明を実施するための最良の形態】
【００１１】
本発明を実施するための最良の形態を説明する。
以下、本発明の監視装置及び監視システムの実施例について、図面を用いて説明する。
【００１２】
実施例１を説明する。図１に本実施例の監視システム全体の構成を示す。中央側には、監視装置親局１０１、１０４、モデム１０２、１０５を設置する。監視装置子局３０２、３１２、３２２には、モデム３０１、３１１、３２１と、監視対象設備３０３、３１３、３２３を接続する。図１の例では、監視装置親局には、監視対象とする設備が接続されていないが、監視装置親局にも、監視装置子局と同様に監視対象の設備を接続しても良い。監視装置親局１０１、１０４は、ネットワーク２００に接続したモデム１０２、１０５を介して通信するコネクタと、メモリと、ＣＰＵとを備えている。
【００１３】
ネットワーク２００では、ＴＣＰ／ＩＰ等を利用した多重通信を利用するため、監視装置親局を複数箇所設置することができる。本実施例では、監視装置親局１（１０１）と監視装置親局２（１０４）の２箇所を設置した例を示す。
【００１４】
ネットワーク２００には、監視データを記憶するネットワーク・ドライブ１０８が接続される。ネットワーク・ドライブ１０８は、モデム１０６を介してネットワーク２００に接続する。パソコン１０９は、モデム１０７を介してネットワーク２００に接続される。図１では、パソコン１０９は１台のみ記載されているが、パソコンは複数台からなり、ネットワーク２００に接続されても良い。
【００１５】
監視装置子局３０２、３１２、３２２は、監視対象設備３０３、３１３、３２３と接続し、監視対象設備の運転状況を時々刻々監視装置子局内に監視データとして保存する。監視装置親局１０１は、監視装置子局３０２、３１２、３２２と順番に接続して、監視装置子局内に保存されている監視データを取得して、ネットワーク・ドライブ１０８の中に保存する。パソコン１０９は、ネットワーク２００内に保存された監視データを検索して、監視装置子局３０２、３１２、３２２の監視データを表示することができる。
【００１６】
パソコン１０９が個々の監視装置子局３０３、３１３、３２３に直接接続して監視装置子局内の監視データを表示するのに比べて、ネットワーク・ドライブ１０８のデータを表示する場合は、パソコンは１箇所にまとめられたデータを検索すれば、監視システム全体のデータを表示することができるため、検索する効率が高い。特に監視装置子局の台数が多い場合には、その効率が高くなる。
【００１７】
ネットワーク・ドライブ１０８は、監視装置親局１０１や、監視装置子局３０３、３１３、３２３に比べて、記憶容量が大きいため、ネットワーク・ドライブ１０８に長期間の監視データを保存することができる。監視装置親局や監視装置子局は、監視装置親局が定期的に巡回してくるまでの間のデータを一時的に保存しておけば良いため、ネットワーク・ドライブ１０８に比べて、小さい記憶容量で良い。このため、監視装置親局や監視装置子局の監視データ保存エリアは、メモリ等の小型の記憶装置とすることができるため、安価な構成とすることができるとともに、ハードディスクを使用しないで済むため、環境の苛酷な屋外に設置する装置の中に監視装置を設置することが可能となる。これに対して、ネットワーク・ドライブ１０８は、ハードディスクを内蔵し、空調の効いたオフィス内に設置することができる。
【００１８】
以上の説明は、監視装置親局が監視装置子局を巡回して、監視装置子局内の監視データをネットワーク・ドライブ１０８内に保存する構成に関して説明したが、監視装置親局が監視装置子局の監視データとともに、監視装置親局に接続される監視対象設備の監視データをネットワーク・ドライブ１０８に保存しても良い。ここで、監視装置親局は、監視装置子局を巡回して、監視データを取得する機能をもつ監視装置を意味し、監視装置子局は、監視装置を巡回する機能を持たない監視装置を意味する。
【００１９】
また、本実施例の変形例として、全ての監視装置は、他の監視装置を巡回することなく、それぞれの監視装置が直接自局の監視データのみをネットワーク・ドライブ内に保存しても良い。この場合、監視装置親局と呼ぶ監視装置は、監視システムの中になく、複数の監視装置子局とネットワーク・ドライブとパソコンからなる監視システムとなる。
【００２０】
ネットワーク・ドライブは、インターネット・エクスプローラ（登録商標）と接続するインターネット・サーバー（ＨＴＴＰサーバー、または、ＨＴＴＰＤ）と比べ、監視データのファイルを保存するだけの機能があれば良く、機能は少ない。ネットワーク・ドライブとして、インターネット・サーバー（ＨＴＴＰサーバー、または、ＨＴＴＰＤ）を利用することも可能である。
【００２１】
ネットワークに接続する、ネットワーク・ドライブ（あるいは、インターネット・サーバーをネットワーク・ドライブとして使用）を利用することにより、ネットワークに接続するパソコンは、ネットワークのどこからでも、監視データを利用することができるため、利用し易い。すなわち、ネットワークに接続すれば、事務所や出張先などから監視データを検索できるため、どこからでも監視対象設備のメンテナンスをどうするかの指示を出せる。
【００２２】
実施例２を説明する。図２に、本実施例の監視システムの構成を詳細に示す。監視装置親局１０１のＬＡＮ１１１には、ＩＰ電話１１２、ＩＰ電話用のルータ１１３、監視装置親局に接続された監視対象１１４、監視対象の信号を入力する入力装置１１５、パソコン１１６、カメラ１１７が接続されている。これらの装置は、監視装置１０１、モデム１０２を介して、ネットワーク２００に接続する。
【００２３】
監視装置子局３０２、３１２、３２２には、それぞれＬＡＮ３０４、３１４、３２４が接続され、ＬＡＮには、それぞれＩＰ電話３０６、監視対象設備３０３、３１３、３１７、３２３や入出力装置３０７、３１５、３１６、３２５、パソコン３２６が接続されている。
【００２４】
図２の構成で、監視装置親局に接続するＩＰ電話１１２、入力装置１１５、パソコン１１６、カメラ１１７と監視装置子局に接続するＩＰ電話３０６、入出力装置３０７、パソコン３２６は互いに通信することができる。これは、監視装置親局と監視装置子局がこれらの装置のデータをルーティングすることによる。監視装置親局または、監視装置子局は、監視対象設備の動作を監視データとして、ネットワーク・ドライブ１０８内に保存する。
【００２５】
実施例３を説明する。図３にネットワーク・ドライブ１１８を監視装置親局のＬＡＮ１１１内に設置した例を示す。この構成では、ネットワーク・ドライブ１１８内の監視データをネットワーク２００に接続したパソコン１０９から検索することができないように、監視装置親局１０１のルーティングを設定することができる。この場合は、ＬＡＮ１１１内に設置したパソコン１１６からネットワーク・ドライブ１１８のデータが検索できる。このような構成とすることにより、ネットワーク・ドライブ１１８内の監視データは中央側の施設内のパソコンだけからだけ、利用できるようになり、監視データのセキュリティを高めることができる。
【００２６】
以上説明したように、本発明の実施例により、ネットワークを利用した監視システムにおいて、中央監視装置内インターネット・サーバー機能を動作させなくとも、監視データをパソコンから検索表示する監視システムを構成することが可能となり、監視システムを安価に構築することができる。また、ネットワーク・ドライブ内に監視データを保存する頻度を高めることにより、監視対象設備の現在の運転状態をリアルタイムに表示することが可能である。また、ネットワークに接続するパソコンを利用して、ネットワークのどこからでも監視データを検索、表示することが可能なため、出張、外出時に監視対象設備のメンテナンスに対して、指示を出すことが可能となる。
【図面の簡単な説明】
【００２７】
【図１】実施例１の監視装置を含む全体システム構成を示す。
【図２】実施例２であるネットワーク・ドライブを監視装置と別のネットワークに設置した例を示す。
【図３】実施例３であるネットワーク・ドライブを監視装置と同一のネットワークに設置した例を示す。
【符号の説明】
【００２８】
１００・・・中央監視装置１、１０１・・・監視装置（親局１）、１０２・・・モデム、１０４・・・監視装置（親局２）、１０５・・・モデム、１０６・・・モデム、１０７・・・モデム、１０８・・・ネットワーク・ドライブ、１０９・・・パソコン、１１１・・・ＬＡＮ、１１２・・・電話機、１１３・・・ＩＰ電話装置、１１４・・・監視対象、１１５・・・パソコン、１１６・・・カメラ、１１７・・・監視装置と同一ＬＡＮ上のネットワーク・ドライブ、１２０・・・通信モジュール、１２１・・・通信モジュール、２００…ネットワーク、３０１・・・モデム、３０２・・・監視装置、３０３・・・監視対象設備、３０４・・・ＬＡＮ１、３０５・・・ＩＰ電話通信機、３０６・・・ＩＰ電話本体、３０７・・・入出力装置、３１１・・・モデム、３１２・・・監視装置、３１３・・・監視対象設備、３１４・・・ＬＡＮ２、３１５・・・入出力装置、３１６・・・入出力装置、３１７・・・監視対象、３２１・・・モデム、３２２・・・監視装置、３２４・・・ＬＡＮ３、３２５・・・入出力装置、３２６・・・パソコン
【図１】
2008011288.tif 000003
【図２】
2008011288.tif 000004
【図３】
2008011288.tif 000005